(57)【特許請求の範囲】
【請求項１】
床上に配置される平板状の基台部と、該基台部に立設された脚部と、該脚部に設けられて情報処理機器を床面から所定の高さに保持する取付部とからなり、
前記基台部は、前記情報処理機器により制御される共に床面に設置される制御対象機器をその上側に配置可能であり、
前記基台部には、前記制御対象機器を前記基台部の上方に配置したときに前記制御対象機器の床上への設置部材が床面に接触する設置部を形成し、
該設置部は、内側へ挿入された前記制御対象機器の前記設置部材が床面に接触する貫通穴部であることを特徴とするスタンド装置。
【請求項２】
前記基台部に、該基台部の上側一般面より低い位置にその底面が配置された案内凹部を形成し、前記制御対象機器を前記基台部の上方に配置するときに前記案内凹部により前記制御対象機器の前記接触部材を前記貫通孔部に案内することを特徴とする請求項１のスタンド装置。
【請求項３】
前記案内凹部が、前記基台部の端縁から前記貫通穴部に至るまで設けられていることを特徴とする請求項２のスタンド装置。
【請求項４】
前記取付部が、前記情報処理装置の取付け向き及び取り付け高さの少なくとも一方を可変に保持することを特徴とする請求項１ないし３のいずれかのスタンド装置。
【請求項５】
前記脚部が、前記基台部から傾斜して立設される傾斜部を含むことを特徴とする請求項１ないし４のいずれかのスタンド装置。
【請求項６】
前記設置部の前記貫通穴部が、前記脚部の設置個所近傍まで前記制御対象機器の前記設置部材を挿入すること及び挿入した前記制御対象機器の前記設置部材が床面に接触したまま移動させ得るように前記基台部の端縁から切欠形成され、かつ前記脚部の設置個所近傍の終端部分が略Ｕ字状の形状の部位であることを特徴とする請求項１のスタンド装置。
【請求項７】
前記情報処理機器は、表示手段、入力手段、情報処理手段を備え、該情報処理機器を請求項１ないし６のいずれかのスタンド装置の保持部に保持してなることを特徴とする情報処理装置。
【請求項８】
前記表示手段及び入力手段を、前記制御対象機器の操作部側に配置したことを特徴とする請求項７の情報処理装置。
【請求項９】
前記操作手段及び表示手段の少なくとも一方の設置高さを調整可能としたことを特徴とする請求項７または８の情報処理装置。
【請求項１０】
前記表示手段の表示方向を変更可能としたことを特徴とする請求項７ないし９のいずれかの情報処理装置。
【請求項１１】
前記表示手段と情報処理手段とを一体に構成してなることを特徴とする請求項７ないし１０のいずれかの情報処理装置。
【請求項１２】
前記制御対象機器が画像形成装置であり、前記情報処理装置は、前記制御対象機器である画像形成装置の操作者の個人認証を行うものであることを特徴とする請求項７ないし１１のいずれかの情報処理装置。
【請求項１３】
前記個人記認証を、ＩＣカードを用いて行うことを特徴とする請求項１２の情報処理装置。
【請求項１４】
前記個人認証を、生体認証で行うことを特徴とする請求項１２の情報処理装置。
【請求項１５】
前記制御対象機器が画像形成装置であり、前記情報処理装置は、前記前記制御対象機器である前記画像形成装置の管理を行うものであることを特徴とする請求項７ないし１１のいずれかの情報処理装置。
【請求項１６】
前記画像形成装置には、付属機器が備えられていることを特徴とする請求項１２ないし１５のいずれかの情報処理装置。
【請求項１７】
前記基台を前記付属機器の下側に配置することを特徴とする請求項１６の情報処理装置。
【請求項１８】
前記画像形成装置が複数台あり、これら複数の画像形成装置を制御することを特徴とする請求項１２ないし１７のいずれかの情報処理装置。
【請求項１９】
請求項１２ないし１８のいずれかの情報処理装置を備えたことを特徴とする画像形成装置。
【発明の詳細な説明】
【技術分野】
【０００１】
本発明は、スタンド装置、情報処理装及び画像形成装置に関する。
【背景技術】
【０００２】
パーソナルコンピュータ等の情報処理装置から印刷を行う印刷システムとして、オンデマンド印刷システムがある。このシステムでは、複数のパーソナルコンピュータが１台のプリンタ制御装置を介して一台または複数台のプリンタに接続され、個々のパーソナルコンピュータからの印刷実行指令によりプリンタが印刷を行うものである。このシステムでは、セキュリティを強固にするため、次のような制御を行う。即ち、ある操作者がパーソナルコンピュータからプリンタに対して印刷を実行させたとき、直ちにプリンタから印刷紙が出力されるのではなく、印刷処理を実行させた後操作者がプリンタの設置個所まで赴き、前記プリンタ制御装置で持参したＩＣカード等での認証を行った後、プリンタから印刷された用紙が出力される。このようにすることにより、他の人が印刷された用紙を持ち去ってしまったり、連続して印刷されて排出され、複数の印刷出力分が区別できない状態となったりするのを防止することができる。
【０００３】
また、ＴＣＯ削減のため、さらに個人情報保護法に対応するため、いわゆるe文書法に対応するためには、既存のプリンタ等にさまざまな処理を行るプリンタ制御装置を設ける必要がある。
【０００４】
プリンタ等の画像形成装置の周辺に情報処理装置として周辺機器を配置するためものとして、特許文献１に記載のものがある。特許文献１には、画像形成装置の周辺機器を載置可能な棚部と、この棚部を支持する支柱と、この支柱を支える土台部とを有するラックであって、これら棚部と支柱と土台部によって側面視が略コ字状を呈し、前記土台部に対する前記支柱の取付位置が前後方向に変更可能であるものが記載されている。
【特許文献１】特許第３６１００３４号公報
【発明の開示】
【発明が解決しようとする課題】
【０００５】
このようなオンデマンド印刷システム等を実現するためには、上述したＩＣカードの読取や認証、その他の処理を行う情報処理装置であるプリンタ制御装置をプリンタの近傍に配置しなければならない。このようなプリンタ制御装置は、通常のパーソナルコンピュータと同機能を有するものであり、入力手段としてのＩＣカードリーダやタッチパネル、表示手段としてのＬＣＲ表示装置、情報処理手段であるパーソナルコンピュータ本体を備えたものであるため、小型化するにも限度があり、特殊な仕様のものとするとコストが嵩むこととなる。
【０００６】
そこで、通常小型の情報処理装置、例えば本体とモニタとが一体となったパーソナルコンピュータをプリンタ制御装置としてプリンタ近傍に別体として設置されることが多い。このとき、プリンタ制御装置、ＩＣカードリーダなどを設置するに際しては、いわゆるパソコンラックや、通常のテーブルに配置することが一般に行われる。しかし、このように、プリンタ制御装置をプリンタと別個に設置する場合には、プリンタの設置場所に加えてプリンタ制御装置設置場所を別に確保しなければならず、限られた空間を有効に使用することができないという問題がある。
【０００７】
本発明は、上述した従来の問題点に鑑みなされたものであり、処理機器と共に使用する情報処理装置を少ない設置スペースで配置することができるようにすることを目的とする。
【課題を解決するための手段】
【０００８】
請求項１の発明は、床上に配置される平板状の基台部と、該基台部に立設された脚部と、該脚部に設けられて情報処理機器を床面から所定の高さに保持する取付部とからなり、前記基台部は、前記情報処理機器により制御される共に床面に設置される制御対象機器をその上側に配置可能であり、前記基台部には、前記制御対象機器を前記基台部の上方に配置したときに前記制御対象機器の床上への設置部材が床面に接触する設置部を形成し、該設置部は、内側へ挿入された前記制御対象機器の前記設置部材が床面に接触する貫通穴部であることを特徴とするスタンド装置である。
【０００９】
請求項２の発明は、請求項１のスタンド装置において、前記基台部に、該基台部の上側一般面より低い位置にその底面が配置された案内凹部を形成し、前記制御対象機器を前記基台部の上方に配置するときに前記案内凹部により前記制御対象機器の前記接触部材を前記貫通孔部に案内することを特徴とする。
【００１０】
請求項３の発明は、請求項２のスタンド装置において、前記案内凹部が、前記基台部の端縁から前記貫通穴部に至るまで設けられていることを特徴とする。
【００１１】
請求項４の発明は、請求項１ないし３のいずれかのスタンド装置において、前記取付部が、前記情報処理装置の取付け向き及び取り付け高さの少なくとも一方を可変に保持することを特徴とする。
【００１２】
請求項５の発明は、請求項１ないし４のいずれかのスタンド装置において、前記脚部が、前記基台部から傾斜して立設される傾斜部を含むことを特徴とする。
【００１３】
請求項６の発明は、床上に配置される平板状の基台部と、該基台部に立設された脚部と、該脚部に設けられて情報処理機器を床面から所定の高さに保持する取付部とからなり、前記基台部は、前記情報処理機器により制御される共に床面に設置される制御対象機器をその上側に配置可能であり、前記基台部には、前記制御対象機器を前記基台部の上方に配置したときに前記制御対象機器の床上への設置部材が床面に接触する設置部を形成し、該設置部は、内側へ挿入された前記制御対象機器の前記設置部材が床面に接触する貫通部であり、前記設置部の前記貫通部は、前記基台部の端縁から略Ｕ字状に切欠形成された部位であることを特徴とする。
【００１４】
請求項７の発明は、前記情報処理機器は、表示手段、入力手段、情報処理手段を備え、該情報処理機器を請求項１ないし６のいずれかのスタンド装置の保持部に保持してなることを特徴とする情報処理装置である。
【００１５】
請求項８の発明は、請求項７の情報処理装置において、前記表示手段及び入力手段を、前記制御対象機器の操作部側に配置したことを特徴とする。
【００１６】
請求項９の発明は、請求項７または８の情報処理装置において、前記操作手段及び表示手段の少なくとも一方の設置高さを調整可能としたことを特徴とする。
【００１７】
請求項１０の発明は、請求項７ないし９のいずれかの情報処理装置において、前記表示手段の表示方向を変更可能としたことを特徴とする。
【００１８】
請求項１１の発明は、請求項７ないし１０のいずれかの情報処理装置において、前記表示手段と情報処理手段とを一体に構成してなることを特徴とする。
【００１９】
請求項１２の発明は、請求項７ないし１１のいずれかの情報処理装置において、前記制御対象機器が画像形成装置であり、前記情報処理装置は、前記制御対象機器である画像形成装置の操作者の個人認証を行うものであることを特徴とする。
【００２０】
請求項１３の発明は、請求項１２の情報処理装置において、前記個人記認証を、ＩＣカードを用いて行うことを特徴とする。
【００２１】
請求項１４の発明は、請求項１２の情報処理装置において、前記個人認証を、生体認証で行うことを特徴とする。
【００２２】
請求項１５の発明は、請求項７ないし１１のいずれかの情報処理装置において、前記制御対象機器が画像形成装置であり、前記情報処理装置は、前記前記制御対象機器である前記画像形成装置の管理を行うものであることを特徴とする。
【００２３】
請求項１６の発明は、請求項１２ないし１５のいずれかの情報処理装置において、前記画像形成装置には、付属機器が備えられていることを特徴とする。
【００２４】
請求項１７の発明は、請求項１６の情報処理装置において、前記基台を前記付属機器の下側に配置することを特徴とする。
【００２５】
請求項１８の発明は、請求項１２ないし１７のいずれかの情報処理装置において、前記画像形成装置が複数台あり、これら複数の画像形成装置を制御することを特徴とする。
【００２６】
請求項１９の発明は、請求項１２ないし１８のいずれかの情報処理装置を備えたことを特徴とする画像形成装置である。
【発明の効果】
【００３２】
本発明によれば、情報処理装置を、床上に配置される平板状の基台部と、基台部に立設された脚部と、前記脚部に設けられ、情報処理機器を床面から所定の高さに保持する取付部とからなり、制御対象機器を基台部の上方に配置したときに制御対象機器の床上への設置部材が床面に接触する設置部を形成し、設置部は、内側へ挿入された制御対象機器の設置部材が床面に接触する貫通穴部を有するスタンド装置に配置するものとしたことから、基台に被さるように情報処理機器を配置し、情報機器の上方に操作手段表示手段等を備えた情報処理部を配置でき、処理機器の床投影面内に情報処理装置を配置することができ、限られた空間を有効利用することができる。
【発明を実施するための最良の形態】
【００３３】
以下本発明を実施するための最良の形態を、図に示す実施例を参照して説明する。
【実施例】
【００３４】
図１は実施例に係る画像形成装置を示す図であり、（ａ）は正面図、（ｂ）は平面図、図２は実施例に係る情報処理装置の側面図、図３は実施例に係る情報処理装置の正面図、図４は実施例に係る情報処理装置の背面図、図５は実施例に係る情報処理装置の平面図、図６は実施例に係るスタンド装置の基台部を示す平面図である。
【００３５】
本例において、プリンタ装置を構成する画像形成装置１００は、画像形成装置本体１０、付属機器としてのフィニッシャ２０、画像形成装置本体１０と図示していない複数のパーソナルコンピュータとの間に配置され、オンデマンド印刷システムを実現するための情報処理装置３０、この情報処理装置３０を画像形成装置本体１０と略同じ床投影面上に配置するスタンド装置５０とを備えている。
【００３６】
画像形成装置本体１０は、例えば公知のフルデジタルの複合機であり、画像読取部１１、画像形成部１２、印刷用紙トレイ部１３、操作部１４、自動原稿供給装置１５を備えている。またフィニッシャ２０は印刷された用紙をソート、ステープル留めを行うものであり、画像形成装置本体１０の側部に取り付けられている。フィニッシャ２０には、排紙トレイ２１、床設置用のキャスタ部２２を備えている。
【００３７】
情報処理装置３０は、表示手段と入力手段とを兼ねたタッチパネル型液晶表示装置３１と内部にＣＰＵ、ＨＤＤ、ＲＡＭ、ＲＯＭ等を内蔵したパーソナルコンピュータ装置３２とからなり、タッチパネル型液晶表示装置３１とパーソナルコンピュータ装置３２とは一体に形成されている。また、本例では画像形成装置本体１０にはＩＣカードを近接することでＩＣカードとの間で情報を授受するＩＣカードリーダ４０を備えている。本例では、情報処理装置３０はオンデマンド印刷システムを実現するように画像形成装置本体１０を制御する。
【００３８】
本例ではスタンド装置５０は、図１ないし図６に示すように、平板状の基台部６０と、基台部に立設された脚部７０と、前記脚部７０に設けられ、情報処理装置３０を床面から所定の高さに表示方向可変に保持する取付部８０とからなる。
【００３９】
本例では前記基台部６０は、前記フィニッシャ２０の下部に配置できるよう金属薄板を板金加工して略平板状となし、その一辺部近傍から前記脚部７０が立設されている。この基台部６０において脚部７０の近傍には、設置部として前記前記フィニッシャ２０のキャスタ部２２が内挿されて床面に接触する略正方形状の貫通穴部６１を開設してなる。また、基台部６０には、この基台部６０の上側一般面６２より低い位置にその底面が配置され、フィニッシャ２０のキャスタ部２２を前記貫通穴部６１に案内する案内凹部６３を形成している。この案内凹部６３は、前記脚部７０の取付け位置の近傍に前記案内凹部は基台部６０の端縁６４から前記に貫通穴部６１に至るまで設けられている。さらに、基台部６０には床との位置調整可能な設置部材６５を備えている。
【００４０】
さらに、本例では、脚部７０は図２に示すように基台部６０に垂直に立設される角パイプ状の下部脚部７１と、この下部脚部７１から斜め上方に延設される同じく角パイプ状の上部脚部７２とからなり、高さを調整できるよう構成することができる。
【００４１】
取付部８０は図１及び図２に示すように、情報処理装置３０を上下左右に傾けることができ、所望の位置で固定できる位置設定機構８１が設けられている。また、取付部８０にはＩＣカードリーダ４０を設置するＩＣカードリーダ設置棚部８２を備えている。
【００４２】
本例では、図１に示すように、情報処理装置３０のタッチパネル型液晶表示装置３１は画像形成装置本体１０の操作部１４側に向くように設置されるほか、操作者Ｍが視認、操作しやすい位置に情報処理装置３０及びＩＣカードリーダ４０を配置する。そして、画像読取部１１の自動原稿供給装置１５を開いたときに情報処理装置３０の操作の妨げにならない位置に情報処理装置３０及びＩＣカードリーダ４０を配置する。このため、前記情報処理装置３０は画像形成装置本体１０の操作の妨げにならないし、また、情報処理装置３０は画像形成装置本体１０に妨げられずに操作できる。
【００４３】
したがって本例に係る画像形成装置１００によれば、情報処理装置３０をスタンド装置５０で画像形成装置本体１０及びフィニッシャ２０近傍に配置するに際して、情報処理装置３０を画像形成装置本体１０及びフィニッシャ２０がお互いに操作の妨げとならないように配置することができる。また、情報処理装置３０及びスタンド装置５０を画像形成装置本体１０及びフィニッシャ２０の床投影面内に配置することができ、設置に際し空間を有効利用することができる。
【００４４】
図７は、本発明に係るスタンド装置５０をフィニッシャ等を設置していない画像形成装置９０に設置した例を示している。本例では、画像形成装置９０の下側にスタンド装置５０の基台部６０を配置し、画像形成装置９０のキャスタ９１が前記基台部６０の貫通穴部６１に配置するものとしている。本例でも、情報処理装置３０と、画像形成装置９０とが相互に操作の妨げとなることなくスタンド装置５０及び情報処理装置３０が画像形成装置９０の床投影面内に配置することができる、
【００４５】
なお、基台部として、図８に示すものを使用することができる。この基台部１１０において脚部７０の設置個所近傍には、設置部として前記フィニッシャ２０のキャスタ部２２が内挿される略Ｕ字状の切欠部１１１を形成してなる。この切欠部１１１は基台部１１０の一端部１１２から脚部７０近傍まで連続して形成するものである。本例では基台部１１０の上方にフィニッシャ２０等を配置するとき、フィニッシャ２０のキャスタ部２２を切欠部１１１内で床に着けたまま移動させることができる。なお、基台部１１０には床との位置調整可能な設置部材１１３を備えている。
【００４６】
また、基台部として、図９に示すものを使用することができる。この基台部１２０は上述した他の基台部６０，１１０と反対の方向からフィニッシャ２０等を設置することができるものである。本例において基台部１２０の脚部７０の設置部近傍には、設置部として前記前記フィニッシャ２０のキャスタ部２２が内挿される挿通孔部１２１を開設していると共に、基台部１２０の一縁部１２３から上記挿通孔部１２１に向け略Ｕ字状の切欠部１２２を形成している。さらに、挿通穴部１２１と切欠部１２２との間には、フィニッシャ２０のキャスタ部２２を前記貫通穴部１２１に案内する案内凹部１２４を形成している。なお、基台部１２０には床との位置調整可能な設置部材１２５を備えている。
【００４７】
次にその他の実施例に係る情報処理装置について説明する。図１０は他の実施例に係る情報処理装置を示す正面図、図１１は図１０に示した情報処理装置を示す平面図である。この例はフィニッシャを付属させないタイプの画像形成装置に取り付けるものである。本例では、情報処理装置３０が画像形成装置１００の上部に設けられる原稿自動供給装置の開け閉めの障害とならないよう、情報処理装置のタッチパネル型液晶表示装置３１及びパーソナルコンピュータ装置３２を画像形装置の直上から外れた位置に配置できるようにしている。即ち、本例に係る情報処理装置スタンド装置１５０は図９に示すように、平板状で画像形成装置１００のキャスタ９１が挿入される貫通穴部１６１を備えた基台部１６０上から上方に向けて脚部１７０を立設している。この脚部１７０は、下部脚部１７１と、この下部脚部１７１先端から斜め上方に向け延設される上部脚部１７２とから構成されている。そして、上部脚部１７２の先端には取付部１８０、位置設定機構１８１を介してタッチパネル型液晶表示装置３１、パーソナルコンピュータ装置３２及びＩＣカードリーダ４０が配置される。もちろんタッチパネル型液晶表示装置３１等はその表示方向を上下左右に可変として、操作者の画像確認、操作を容易なものとできる。
【００４８】
本例によれば、上部脚部１７２を横方向に延設した分タッチパネル型液晶表示装置３１等を画像形成装置１００の上方から移動させることができる。なお、下部脚部１７１、上部脚部１７２からなる脚部１７０の形状は必要に応じて任意に設定することができる。
【００４９】
以上のように、本発明においては、基台部には制御対象機器の床設置部材の設置部として切欠部や貫通穴部を必要に応じて設けることができる。また、上記例では、情報処理装置は、オンデマンド印刷システムを実現するために用いた例を示したが、情報処理装置は、その他の機能例えば画像形成装置の取り扱う情報の管理等に用いることができる。さらに、上記例では認証をＩＣカードで行う例について説明したがその他の認証方法、例えば指紋、掌紋、瞳その他の生体情報を認証に用いるようにしてもよい。
【図面の簡単な説明】
【００５０】
【図１】実施例に係る画像形成装置を示す図であり、（ａ）は正面図、（ｂ）は平面図である。
【図２】実施例に係る情報処理装置の側面図である。
【図３】実施例に係る情報処理装置の正面図である。
【図４】実施例に係る情報処理装置の背面図である。
【図５】実施例に係る情報処理装置の平面図である。
【図６】実施例に係るスタンド装置の基台部を示す平面図である
【図７】他の実施例に係る画像形成装置を示す平面図である。
【図８】他の実施例に係るスタンド装置の基台を示す平面図である。
【図９】他の実施例に係るスタンド装置の基台を示す平面図である。
【図１０】他の実施例に係る情報処理装置を示す正面図である。
【図１１】図１０に示した情報処理装置を示す平面図である。
【符号の説明】
【００５１】
２０：フィニッシャ
２１：排紙トレイ
２２：キャスタ部
３０：情報処理装置
３１：タッチパネル型液晶表示装置
３２：パーソナルコンピュータ装置
４０：ＩＣカードリーダ
５０：スタンド装置
６０：基台部
６１：貫通穴部
６２：上側一般面
６３：案内凹部
６４：端縁
６５：設置部材
７０：脚部
７１：下部脚部
７２：上部脚部
８０：取付部
８１：位置設定機構
８２：ＩＣカードリーダ設置棚部
９０：画像形成装置
９１：キャスタ
１００：画像形成装置
１１０：基台部
１１１：切欠部
１１２：一縁部
１１３：設置部材
１２０：基台部
１２１：貫通穴部
１２２：切欠部
１２３：一縁部
１２４：案内凹部
１２５：設置部材
１５０：情報処理装置スタンド装置
１６０：基台部
１６１：貫通穴部
１７０：脚部
１７１：下部脚部
１７２：上部脚部
１８０：取付部
１８１：位置設定機構
【図１】
0004666291.tif 000002
【図２】
0004666291.tif 000003
【図３】
0004666291.tif 000004
【図４】
0004666291.tif 000005
【図５】
0004666291.tif 000006
【図６】
0004666291.tif 000007
【図７】
0004666291.tif 000008
【図８】
0004666291.tif 000009
【図９】
0004666291.tif 000010
【図１０】
0004666291.tif 000011
【図１１】
0004666291.tif 000012